(57)【要約】【課題】コピー機能の使用時におけるユーザーの無駄なコピー作業をなくすことが可能となる画像処理装置、及び画像コピー方法を提供する。【解決手段】デジタルカメラのコピーモードにおいて、コピー先の記録媒体が選択されたら（ａ）、コピー対象の選択用のコピー操作画面２０２を表示させる（ｂ）。コピー操作画面２０２には、画像サイズ毎のコピー可能枚数情報１０３を選択中の画像に重ねて表示させ、実際にコピーの開始を指示する以前の段階で、選択中の画像がコピー可能か否かをユーザーに知らせる。コピー可能枚数１０３における表示中の画像のサイズに関する表示部分をハイライト表示により差別化し、現在選択中の画像の画像サイズ、及びその画像サイズに対応するコピー可能枚数の確認を容易にする。コピー操作画面２０２の表示中には、所定のボタン操作に応じてコピー可能枚数情報１０３の表示状態と非表示状態とを切替え、選択中の画像の視認性を確保する。【選択図】      図４
2006287277.tif 000002
【特許請求の範囲】
【請求項１】
画像を記憶媒体にコピーするコピー機能を備えた画像処理装置において、
前記コピー機能によるコピーの実行を使用者の手動操作に応答して指示するコピー実行指示手段と、
このコピー実行指示手段によりコピーの実行が指示された場合、記憶媒体に記憶されている画像データを同一又は他の記憶媒体にコピーするコピー実行手段と、
前記実行指示手段によりコピーの実行が指示される前の時点において、前記実行指示手段によりコピーの実行が指示され、前記コピー実行手段によりコピーが実行された際に前記記憶媒体にコピーされる画像データのサイズを取得する第１の取得手段と、
前記記憶媒体における画像データの書き込み可能な空き容量を取得する第２の取得手段と、
前記第１の取得手段により取得された画像サイズ、及び前記第２の取得手段により取得された空き容量に基づき、前記コピー実行手段によるコピーの実行が可能か否かを判断する判断手段と、
この判断手段による判断結果を前記実行指示手段によりコピーの実行が指示される前の時点において報知する報知手段と
を備えたことを特徴とする画像処理装置。
【請求項２】
前記記憶媒体に記憶されている複数の画像データのうち所望の画像データを選択する画像選択手段を備え、
前記コピー実行手段は、前記コピー実行指示手段によりコピーの実行が指示された場合、前記画像選択手段により選択された画像データを同一又は他の記憶媒体にコピーすることを特徴とする請求項１記載の画像処理装置。
【請求項３】
前記画像選択手段により選択された画像データを表示手段に表示させる第１の表示制御手段を備え、
前記報知手段は、前記第１の表示制御手段により表示手段に表示されている画像データとともに前記判断手段による判断結果を表示させる第２の表示制御手段を含むことを特徴とする請求項２記載の画像処理装置。
【請求項４】
前記判断手段は、前記画像サイズ及び前記空き容量に基づき前記記憶媒体にコピー可能な画像枚数であるコピー可能枚数を算出する算出手段を含み、
前記報知手段は、前記算出手段により算出されたコピー可能枚数を表示手段に表示させる表示制御手段を含むことを特徴とする請求項１記載の画像処理装置。
【請求項５】
前記第１の取得手段は、複数種の画像サイズを取得する手段を含み、
前記算出手段は、前記第１の取得手段により取得された複数種の画像サイズと、前記第２の取得手段により取得された空き容量とに基づき、前記コピー可能枚数を前記複数種の画像サイズについて個別に算出し、
前記表示制御手段は、前記算出手段により個別に算出された前記複数種の画像サイズ毎のコピー可能枚数を前記表示手段に表示させる
ことを特徴とする請求項４記載の画像処理装置。
【請求項６】
前記記憶媒体に記憶されている複数の画像データのうち所望の画像データを選択する画像選択手段を備え、
前記コピー実行手段は、前記コピー実行指示手段によりコピーの実行が指示された場合、前記画像選択手段により選択された画像データを同一又は他の記憶媒体にコピーし、
前記表示制御手段は、前記画像選択手段により選択された画像データの画像サイズに対応するコピー可能枚数を、他の画像サイズに対応するコピー可能枚数と識別可能に前記表示手段に表示させることを特徴とする請求項５記載の画像処理装置。
【請求項７】
前記表示制御手段による前記表示手段への前記コピー可能枚数の表示をオンオフ操作する操作手段を備えたことを特徴とする請求項４，５，６記載の画像処理装置。
【請求項８】
前記コピーは、リサイズコピーである
ことを特徴とする請求項１記載の画像処理装置。
【請求項９】
前記第１の取得手段は、複数種のリサイズ画像サイズを取得する手段を含み、
前記判断手段は、前記複数種のリサイズ画像サイズと、前記第２の取得手段により取得された空き容量とに基づき、前記複数種のリサイズ画像サイズ毎のコピー可能枚数を算出する算出手段を含み、
前記報知手段は、前記算出手段により算出されたリサイズ画像サイズ毎のコピー可能枚数を表示手段に表示させる表示制御手段を含む
ことを特徴とする請求項８記載の画像処理装置。
【請求項１０】
前記コピーは、トリミングコピーである
ことを特徴とする請求項１記載の画像処理装置。
【請求項１１】
複数の記憶媒体のうち所望の記憶媒体をコピー先の記憶媒体として選択する記憶媒体選択手段を備え、
前記第２の取得手段は、前記記憶媒体選択手段により選択された記憶媒体における画像データの書き込み可能な空き容量を取得する
ことを特徴とする請求項１乃至１０のいずれかに記載の画像処理装置。
【請求項１２】
前記第２の取得手段は、使用者により選択可能なコピー先候補である複数の記憶媒体における画像データの書き込み可能な空き容量を個別に取得し、
前記判断手段は、前記第１の取得手段により取得された画像サイズと、前記第２の取得手段により個別に取得された前記複数の記憶媒体の空き容量とに基づき、前記コピー可能枚数を前記複数の記憶媒体について個別に算出する算出手段を含み、
前記報知手段は、前記算出手段により算出された前記複数の記憶媒体毎のコピー可能枚数を表示手段に表示させる表示制御手段を含む
ことを特徴とする請求項１記載の画像処理装置。
【請求項１３】
画像を記憶媒体にコピーするコピー機能を備えた画像処理装置における画像コピー方法であって、
使用者の手動操作によって前記コピー機能によるコピーの実行が指示された場合、記憶媒体に記憶されている画像データを同一又は他の記憶媒体にコピーする工程と、
使用者の手動操作によって前記コピー機能によるコピーの実行が指示される前の時点において、前記コピー機能によるコピーを実行した場合に前記記憶媒体にコピーされる画像データのサイズを取得する工程と、
前記記憶媒体における画像データの書き込み可能な空き容量を取得する工程と、
前記画像データのサイズ、及び前記空き容量に基づき、
前記記憶媒体に記憶されている画像データの同一又は他の記憶媒体にコピーの実行が可能か否かを判断する工程と、
前記判断による判断結果を、使用者の手動操作によって前記コピー機能によるコピーの実行が指示される前の時点において報知する工程と
を含むことを特徴とする画像コピー方法。
【請求項１４】
画像を記憶媒体にコピーするコピー機能を備えた画像処理装置が有するコンピュータを、
前記コピー機能によるコピーの実行を使用者の手動操作に応答して指示するコピー実行指示手段と、
このコピー実行指示手段によりコピーの実行が指示された場合、記憶媒体に記憶されている画像データを同一又は他の記憶媒体にコピーするコピー実行手段と、
前記実行指示手段によりコピーの実行が指示される前の時点において、前記実行指示手段によりコピーの実行が指示され、前記コピー実行手段によりコピーが実行された際に前記記憶媒体にコピーされる画像データのサイズを取得する第１の取得手段と、
前記記憶媒体における画像データの書き込み可能な空き容量を取得する第２の取得手段と、
前記第１の取得手段により取得された画像サイズ、及び前記第２の取得手段により取得された空き容量に基づき、前記コピー実行手段によるコピーの実行が可能か否かを判断する判断手段と、
この判断手段による判断結果を前記実行指示手段によりコピーの実行が指示される前の時点において報知手段に報知させる制御手段と
して機能させるためのプログラム。
【請求項１５】
画像を記憶媒体にコピーするコピー機能を備えた画像処理装置において、
記憶媒体に記憶されている画像データを同一又は他の記憶媒体にコピーするコピー実行手段と、このコピー実行手段によりコピーが実行された場合に前記記憶媒体にコピーされる画像データのサイズを取得する第１の取得手段と、
前記コピー先の記憶媒体における画像データの書き込み可能な空き容量を取得する第２の取得手段と、
前記第１の取得手段により取得された画像サイズ、及び前記第２の取得手段により取得された空き容量に基づき、前記記憶媒体にコピー可能な画像枚数であるコピー可能枚数を算出する算出手段と、
この算出手段により算出されたコピー可能枚数を表示手段に表示させる表示制御手段と
を備えたことを特徴とする画像処理装置。
【発明の詳細な説明】
【技術分野】
【０００１】
本発明は、例えばデジタルカメラに用いて好適な画像処理装置、及び画像コピー方法に関するものである。
【背景技術】
【０００２】
従来、画像を記憶媒体にコピーするコピー機能を備えた画像処理装置として、撮影した被写体画像を画像データとして内蔵メモリやカードメモリ等の記録媒体に記録するデジタルカメラがある。デジタルカメラにおけるコピー機能は、内蔵メモリやカードメモリ等の記録媒体に記録されている画像データを同一の記録媒体や、異なる記録媒体にコピーするための機能である。なお、係るコピー機能としては、通常のコピー以外にも、画像サイズを変えるリサイズを伴うリサイズコピーや、元画像から一部を切り出すトリミングを伴うトリミングコピーを行うものもある。
【０００３】
また、デジタルカメラ等におけるコピー機能では、例えば下記特許文献１に記載されているように、コピー対象の画像が選択された状態で、ユーザーによってボタン操作等によるコピーの開始指示が行われた後には、コピー先の記録媒体の空き容量を確認し、空き容量がコピー可能な容量に満たなかった場合においては、その旨を警告メッセージを表示することによってユーザーに知らせるのが一般的である。
【特許文献１】特開平１１−３３１７０２号公報
【発明の開示】
【発明が解決しようとする課題】
【０００４】
しかしながら、従来のデジタルカメラ等においては、上記のようにコピー先の記録媒体の空き容量不足によってコピーができない場合に、それをユーザーによってコピーの開始指示があってから行っているため、以下のような問題があった。すなわちユーザーにあっては、所望する画像を選択した後、最終的にコピーの開始を指示してみるまでは、所望する画像のコピーが可能かどうかを知ることができない。係ることから、ユーザーにおいては、例えばコピーできない画像サイズの画像を選択した状態でコピーの開始を指示するといった無駄なコピー作業を行うことがあり、しかもコピー先の記録媒体の空き容量が低下するに従って上記事態の発生頻度が高くなるという問題があった。
【０００５】
また、上記問題とは別に、記録媒体にコピー可能な空き容量があって、ある画像をコピーできたとしても、その記録媒体に、どの程度の画像がコピーできるのかを知ることができなかった。そのため、例えば画像データの持ち歩き等を目的として、着脱自在な同一の記録媒体に複数枚の画像をコピーする場合、全ての画像のコピーが完了する前に空き容量が不足してしまったときには、結果的にそれ以前のコピー作業が無駄になってしまうという問題があった。
【０００６】
本発明は、かかる従来の課題に鑑みてなされたものであり、コピー機能の使用時におけるユーザーの無駄なコピー作業をなくすことが可能となる画像処理装置、及び画像コピー方法の提供を目的とする。
【課題を解決するための手段】
【０００７】
前記課題を解決するため請求項１の発明にあっては、画像を記憶媒体にコピーするコピー機能を備えた画像処理装置において、前記コピー機能によるコピーの実行を使用者の手動操作に応答して指示するコピー実行指示手段と、このコピー実行指示手段によりコピーの実行が指示された場合、記憶媒体に記憶されている画像データを同一又は他の記憶媒体にコピーするコピー実行手段と、前記実行指示手段によりコピーの実行が指示される前の時点において、前記実行指示手段によりコピーの実行が指示され、前記コピー実行手段によりコピーが実行された際に前記記憶媒体にコピーされる画像データのサイズを取得する第１の取得手段と、前記コピー先の記憶媒体における画像データの書き込み可能な空き容量を取得する第２の取得手段と、前記第１の取得手段により取得された画像サイズ、及び前記第２の取得手段により取得された空き容量に基づき、前記コピー実行手段によるコピーの実行が可能か否かを判断する判断手段と、この判断手段による判断結果を前記実行指示手段によりコピーの実行が指示される前の時点において報知する報知手段とを備えたものとした。
【０００８】
かかる構成においては、記憶媒体に記憶されている画像データのコピーが開始される以前に、それが可能か否かを使用者に知らせることができる。
【０００９】
また、請求項２の発明にあっては、前記記憶媒体に記憶されている複数の画像データのうち所望の画像データを選択する画像選択手段を備え、前記コピー実行手段は、前記コピー実行指示手段によりコピーの実行が指示された場合、前記画像選択手段により選択された画像データを同一又は他の記憶媒体にコピーするものとした。
【００１０】
また、請求項３の発明にあっては、前記画像選択手段により選択された画像データを表示手段に表示させる第１の表示制御手段を備え、前記報知手段は、前記第１の表示制御手段により表示手段に表示されている画像データとともに前記判断手段による判断結果を表示させる第２の表示制御手段を含むものとした。
【００１１】
また、請求項４の発明にあっては、前記判断手段は、前記画像サイズ及び前記空き容量に基づき前記記憶媒体にコピー可能な画像枚数であるコピー可能枚数を算出する算出手段を含み、前記報知手段は、前記算出手段により算出されたコピー可能枚数を表示手段に表示させる表示制御手段を含むものとした。
【００１２】
かかる構成においては、記憶媒体に記憶されている画像データのコピーが可能か否かを、コピー可能枚数によって使用者に知らせることができる。
【００１３】
また、請求項５の発明にあっては、前記第１の取得手段は、複数種の画像サイズを取得する手段を含み、前記算出手段は、前記第１の取得手段により取得された複数種の画像サイズと、前記第２の取得手段により取得された空き容量とに基づき、前記コピー可能枚数を前記複数種の画像サイズについて個別に算出し、前記表示制御手段は、前記算出手段により個別に算出された前記複数種の画像サイズ毎のコピー可能枚数を前記表示手段に表示させるものとした。
【００１４】
かかる構成においては、記憶媒体に記憶されている画像データのコピーが可能か否かを、画像サイズ毎のコピー可能枚数によって使用者に知らせることができる。
【００１５】
また、請求項６の発明にあっては、前記記憶媒体に記憶されている複数の画像データのうち所望の画像データを選択する画像選択手段を備え、前記コピー実行手段は、前記コピー実行指示手段によりコピーの実行が指示された場合、前記画像選択手段により選択された画像データを同一又は他の記憶媒体にコピーし、前記表示制御手段は、前記画像選択手段により選択された画像データの画像サイズに対応するコピー可能枚数を、他の画像サイズに対応するコピー可能枚数と識別可能に前記表示手段に表示させるものとした。
【００１６】
かかる構成においては、コピー対象として選択された画像データの画像サイズ、及びその画像サイズに対応するコピー可能枚数の確認が容易となる。
【００１７】
また、請求項７の発明にあっては、前記表示制御手段による前記表示手段への前記コピー可能枚数の表示をオンオフ操作する操作手段を備えたものとした。
【００１８】
かかる構成においては、使用者が必要に応じてコピー可能枚数の表示、非表示を切替えることができる。
【００１９】
また、請求項８の発明にあっては、前記コピーは、リサイズコピーであるものとした。
【００２０】
かかる構成においては、記憶媒体に記憶されている画像データのリサイズコピーが開始される以前に、それが可能か否かを使用者に知らせることができる。
【００２１】
また、請求項９の発明にあっては、前記第１の取得手段は、複数種のリサイズ画像サイズを取得する手段を含み、前記判断手段は、前記複数種のリサイズ画像サイズと、前記第２の取得手段により取得された空き容量とに基づき、前記複数種のリサイズ画像サイズ毎のコピー可能枚数を算出する算出手段を含み、前記報知手段は、前記算出手段により算出されたリサイズ画像サイズ毎のコピー可能枚数を表示手段に表示させる表示制御手段を含むものとした。
【００２２】
かかる構成においては、記憶媒体に記憶されている画像データのリサイズコピーが可能か否かを、複数種のリサイズ画像サイズ毎のコピー可能枚数によって使用者に知らせることができる。
【００２３】
また、請求項１０の発明にあっては、前記コピーは、トリミングコピーであるものとした。
【００２４】
かかる構成においては、記憶媒体に記憶されている画像データのトリミングコピーが開始される以前に、それが可能か否かを使用者に知らせることができる。
【００２５】
また、請求項１１の発明にあっては、複数の記憶媒体のうち所望の記憶媒体をコピー先の記憶媒体として選択する記憶媒体選択手段を備え、前記第２の取得手段は、前記記憶媒体選択手段により選択された記憶媒体における画像データの書き込み可能な空き容量を取得するものとした。
【００２６】
かかる構成においては、記憶媒体に記憶されている画像データのコピーが実行される以前に、それが可能か否かを、選択可能な記憶媒体毎に使用者に知らせることができる。
【００２７】
また、請求項１２の発明にあっては、前記第２の取得手段は、使用者により選択可能なコピー先候補である複数の記憶媒体における画像データの書き込み可能な空き容量を個別に取得し、前記判断手段は、前記第１の取得手段により取得された画像サイズと、前記第２の取得手段により個別に取得された前記複数の記憶媒体の空き容量とに基づき、前記コピー可能枚数を前記複数の記憶媒体について個別に算出する算出手段を含み、前記報知手段は、前記算出手段により算出された前記複数の記憶媒体毎のコピー可能枚数を表示手段に表示させる表示制御手段を含むものとした。
【００２８】
かかる構成においては、記憶媒体に記憶されている画像データが、選択可能なコピー先候補である複数の記憶媒体に対してコピー可能か否かを、記憶媒体毎にコピー可能枚数によって使用者に知らせることができる。
【００２９】
また、請求項１３の発明にあっては、画像を記憶媒体にコピーするコピー機能を備えた画像処理装置における画像コピー方法であって、使用者の手動操作によって前記コピー機能によるコピーの実行が指示された場合、記憶媒体に記憶されている画像データを同一又は他の記憶媒体にコピーする工程と、使用者の手動操作によって前記コピー機能によるコピーの実行が指示される前の時点において、前記コピー機能によるコピーを実行した場合に前記記憶媒体にコピーされる画像データのサイズを取得する工程と、前記記憶媒体における画像データの書き込み可能な空き容量を取得する工程と、前記画像データのサイズ、及び前記空き容量に基づき、前記記憶媒体に記憶されている画像データの同一又は他の記憶媒体にコピーの実行が可能か否かを判断する工程と、前記判断による判断結果を、使用者の手動操作によって前記コピー機能によるコピーの実行が指示される前の時点において報知する工程とを含む方法とした。
【００３０】
かかる方法によれば、記憶媒体に記憶されている画像データのコピーが開始される以前に、それが可能か否かを使用者に知らせることができる。
【００３１】
また、請求項１４の発明にあっては、画像を記憶媒体にコピーするコピー機能を備えた画像処理装置が有するコンピュータを、前記コピー機能によるコピーの実行を使用者の手動操作に応答して指示するコピー実行指示手段と、このコピー実行指示手段によりコピーの実行が指示された場合、記憶媒体に記憶されている画像データを同一又は他の記憶媒体にコピーするコピー実行手段と、前記実行指示手段によりコピーの実行が指示される前の時点において、前記実行指示手段によりコピーの実行が指示され、前記コピー実行手段によりコピーが実行された際に前記記憶媒体にコピーされる画像データのサイズを取得する第１の取得手段と、前記記憶媒体における画像データの書き込み可能な空き容量を取得する第２の取得手段と、前記第１の取得手段により取得された画像サイズ、及び前記第２の取得手段により取得された空き容量に基づき、前記コピー実行手段によるコピーの実行が可能か否かを判断する判断手段と、この判断手段による判断結果を前記実行指示手段によりコピーの実行が指示される前の時点において報知手段に報知させる制御手段として機能させるためのプログラムとした。
【００３２】
また、請求項１５の発明にあっては、画像を記憶媒体にコピーするコピー機能を備えた画像処理装置において、記憶媒体に記憶されている画像データを同一又は他の記憶媒体にコピーするコピー実行手段と、このコピー実行手段によりコピーが実行された場合に前記記憶媒体にコピーされる画像データのサイズを取得する第１の取得手段と、前記コピー先の記憶媒体における画像データの書き込み可能な空き容量を取得する第２の取得手段と、前記第１の取得手段により取得された画像サイズ、及び前記第２の取得手段により取得された空き容量に基づき、前記記憶媒体にコピー可能な画像枚数であるコピー可能枚数を算出する算出手段と、この算出手段により算出されたコピー可能枚数を表示手段に表示させる表示制御手段とを備えたものとした。
【００３３】
かかる構成においては、記憶媒体に対してコピー可能な画像の枚数を、コピー実行前またはコピー実行後に使用者に知らせることができる。
【発明の効果】
【００３４】
以上のように請求項１、請求項１３の発明においては、記憶媒体に記憶されている画像データのコピーが開始される以前に、それが可能か否かを使用者に知らせることができるようにした。よって、コピー機能の使用時におけるユーザーの無駄なコピー作業をなくすことが可能となる。
【００３５】
さらに、請求項４の発明にあっては、記憶媒体に記憶されている画像データのコピーが可能か否かを、コピー可能枚数によって使用者に知らせることができる。
【００３６】
また、請求項５の発明にあっては、記憶媒体に記憶されている画像データのコピーが可能か否かを、画像サイズ毎のコピー可能枚数によって使用者に知らせることができる。
【００３７】
また、請求項６の発明にあっては、コピー対象として選択された画像データの画像サイズ、及びその画像サイズに対応するコピー可能枚数の確認が容易となる。
【００３８】
また、請求項７の発明にあっては、使用者が必要に応じてコピー可能枚数の表示、非表示を切替えることができる。
【００３９】
また、請求項８の発明にあっては、記憶媒体に記憶されている画像データのリサイズコピーが開始される以前に、それが可能か否かを使用者に知らせることができる。
【００４０】
また、請求項９の発明にあっては、記憶媒体に記憶されている画像データのリサイズコピーが可能か否かを、複数種のリサイズ画像サイズ毎のコピー可能枚数によって使用者に知らせることができる。
【００４１】
また、請求項１０の発明にあっては、記憶媒体に記憶されている画像データのトリミングコピーが開始される以前に、それが可能か否かを使用者に知らせることができる。
【００４２】
また、請求項１１の発明にあっては記憶媒体に記憶されている画像データのコピーが実行される以前に、それが可能か否かを、選択可能な記憶媒体毎に使用者に知らせることができる。
【００４３】
また、請求項１２の発明にあっては、選択記憶媒体に記憶されている画像データが、選択可能なコピー先候補である複数の記憶媒体に対してコピー可能か否かを、記憶媒体毎にコピー可能枚数によって使用者に知らせることができる。
【００４４】
また、請求項１５の発明においては、記憶媒体に対してコピー可能な画像の枚数を、コピー実行前またはコピー実行後に使用者に知らせることができるようにした。よって、コピー機能の使用時におけるユーザーの無駄なコピー作業をなくすことが可能となる。
【発明を実施するための最良の形態】
【００４５】
以下、本発明の一実施の形態を図にしたがって説明する。
（実施形態１）
図１は、本発明の画像処理装置であるデジタルカメラ１を背面上方側から観た斜視図である。図示したように、カメラ本体２の上面には電源キー３及びシャッターキー４が配置されており、カメラ本体２の背面には光学ファインダ５、再生モード設定スイッチ６、記録モード設定スイッチ７、ズーム操作キー８、メニューキー９、左右キー及び上下キーが一体化された４方向キー１０、その中心部に設けられた実行（セット）キー１１、各種の表示の切り替えディスプレイ（ＤＰＳ）キー１２の各スイッチ類と、液晶モニタ１３が配設されている。
【００４６】
図２は上記デジタルカメラ１の電気的構成を示すブロック図である。デジタルカメラ１はシステムの全体の制御を行うＣＰＵ２１と、前記撮像レンズ２０によって感光部に結像された被写体の光学像に応じたアナログの撮像信号を出力するＣＣＤ２２を備えている。ＣＣＤ２２はＴＧ（Timing Generator）２３により所定の周期で走査駆動されて、結像された被写体の光学像を画素毎に光電変換し、光の強さに応じた画素信号からなるアナログの撮像信号をアナログ処理部２４に出力する。また、ＣＣＤ２２は、ＣＰＵ２１から送られるシャッターパルスに応じ電荷蓄積時間を変化されることにより電子シャッターとして機能する。
【００４７】
アナログ処理部２４は、ＣＣＤ２２から入力した撮像信号に含まれるノイズを除去するＣＤＳ（Correlated Double Sampling：相関二重サンプリング回路）と、ＣＤＳを経た撮像信号を増幅するアナログアンプであるＡＧＣ（ゲイン調整アンプ）と、ＡＧＣで増幅され調整されたアナログの撮像信号をデジタル信号に変換するＡＤ（Ａ／Ｄ変換器）とからなり、デジタルデータ化した撮像信号をＣＰＵ２１に出力する。
【００４８】
ＣＰＵ２１は、画像データの圧縮・伸張を含む各種のデジタル信号処理機能を備えており、アナログ処理部２４から出力された撮像信号を、アドレス・データバス２５を介して順次ＤＲＡＭ２６に送り画素データとして蓄積する。また、ＤＲＡＭ２６に蓄積された画素を、所定の画像処理ブロック単位で読み出し、Ｒ，Ｇ，Ｂ毎のデジタルの画像データを生成し、輝度（Ｙ）信号・色差（Ｃｂ，Ｃｒ）信号の画像データへ変換し、さらに変換後の画像データに基づきビデオ信号を生成して前記液晶モニタ１３へ送る。
【００４９】
液晶モニタ１３は、記録モードが設定されているときには、所定のフレーム周期で更新される被写体画像すなわちスルー画像等を表示する。また、操作補助用として各種のメニュー画面や、記録画像サイズの設定用等の種々の設定画面、メッセージ等を表示し、本発明の表示手段（報知手段）として機能する。
【００５０】
また、ＣＰＵ２１は、画像記録時においては画像処理ブロック単位のＹ，Ｃｂ，Ｃｒの画像データを所定の方式で圧縮符号化し、記録されている静止画像の再生時には伸張復号化する。撮影時に圧縮符号化された画像データは、静止画データとして内蔵フラッシュメモリ２８や、カードインターフェース２９を介して着脱自在な各種のメモリカード３０（記録媒体）に記録される。なお、デジタルカメラ１において記録可能な静止画像のサイズは、総画素数が約７Ｍ、５Ｍ、３Ｍ、２Ｍ、１Ｍのサイズと、ＶＧＡ（６４０×４８０）の６種類である。
【００５１】
キー入力部３１は、前述した各スイッチ類（図１参照）により構成され、ユーザーによるキー操作に応じた操作信号をＣＰＵ２１に送る。例えば記録モードでシャッターキー４が押された撮影操作時には、それを示すトリガー信号をＣＰＵ２１に出力する。
【００５２】
前記内蔵フラッシュメモリ２８には、前述した圧縮後の画像データを記憶するための画像記憶領域とは別にプログラム領域が確保されている。プログラム領域には、ＣＰＵ２１に画像データの圧縮・伸張や、色調整処理を含む各種の画像信号処理や、ＡＥ制御等を行わせるための各種プログラムと、それらのプログラムに基づく動作に必要な各種データが記憶されている。特に本実施の形態においては、再生モードが設定されているとき、必要に応じてＣＰＵ２１に後述する動作を行わせることにより、ＣＰＵ２１を本発明の選択制御手段、コピー手段、第１の取得手段、第２の取得手段、判断手段（算出手段）、表示制御手段、第２の選択制御手段、制御手段として機能させるためのプログラムが記憶されている。
【００５３】
次に、以上の構成からなるデジタルカメラ１の本発明に係る動作について説明する。図３は、再生モードの下位モードとして用意されているコピーモードがユーザーにより設定されたときのＣＰＵ２１の処理手順を示すフローチャートである。なお、本実施の形態のコピーモードは、後述するように内蔵フラッシュメモリ２８又はメモリカード３０の一方に記録されている画像データを、同一の記録媒体の異なる記憶領域、又は他方の記録媒体に単純に複写するためのモードであって、以下の説明において「コピー」とは、コピー元の画像データを消去するような「移動コピー」を含まないものを意味する。なお、これについては後述する第２及び第３の実施の形態についても同様である。
【００５４】
ＣＰＵ２１は、再生モードが設定されると、直ちに通常の再生動作によって前記内蔵フラッシュメモリ２８、又は前記メモリカード３０に最後に記録された記録画像（静止画像）を表示する（ステップＳＡ１）。係る処理では、ユーザーにより左右キー（方向キー１０）が押される毎に表示画像を順次切り換え、ユーザーに所望の画像、つまりコピー元の画像を選択させる。引き続き、ユーザーにより図示しないメニュー画面からコピーモードが選択されると、図４（ａ）に示したような操作選択メニュー１０１及び内容説明１０２を表示画像に重ねて表示したコピー機能選択画面２０１を表示させ、ユーザーに内蔵フラッシュメモリ２８からメモリカード３０へのコピー（図で「内蔵→カード」）と、メモリカード３０から内蔵フラッシュメモリ２８へのコピー（図で「カード→内蔵」）とのいずれかのコピー機能を選択させる（ステップＳＡ２）。ここで、現在表示中の画像が記録されている記録媒体とは異なる記録媒体から他の記録媒体（現在表示中の画像が記録されている記録媒体を含む）へのコピー機能が選択された場合は、現在表示中の画像が記録されている記録媒体とは異なる記録媒体に最後に記録された記録画像が新たに読み出されて表示されることになる。なお、本実施の形態では、コピー機能として異なる記録媒体間のコピーのみを選択可能としたが、同一の記録媒体内におけるコピーを可能としてもよい。
【００５５】
そして、いずれかのコピー機能の選択を待って、枚数表示フラグをオンとした後（ステップＳＡ３）、表示中の画像（元画像）のサイズを、その画像データのヘッダ情報から取得する（ステップＳＡ４）。次に、コピー先（内蔵フラッシュメモリ２８の画像記憶領域、又はメモリカード３０）の残り容量（空き容量）を取得し、コピー先にコピー可能な枚数を、記録可能な静止画像の全ての画像サイズ（前述した６種類）について個別に計算する（ステップＳＡ５）。その後、当初は枚数表示フラグがオンであるため（ステップＳＡ６でＹＥＳ）、画像サイズ毎のコピー可能枚数を、ステップＳＡ４で取得した表示画像サイズのコピー可能枚数のみを強調するように画面上に表示させた後（ステップＳＡ７）、その画像サイズ毎のコピー可能枚数情報１０３と共に、「コピー」と「キャンセル」とを選択肢とする操作選択メニュー１０４を含む、図４（ｂ）に示したようなコピー操作画面２０２を表示する（ステップＳＡ８）。
【００５６】
図４（ｂ）は、図４（ａ）のコピー機能選択画面２０１において、内蔵フラッシュメモリ２８からメモリカード３０へのコピー（「内蔵→カード」）が選択されるとともに、コピー対象として表示されている静止画像が３Ｍサイズの画像であった場合の例である。図示したようにコピー操作画面２０２の表示に際しては、表示中の画像のサイズの表示部分（この例では３Ｍサイズの表示部分）をハイライト表示（強調表示）させることにより、選択中の静止画像のサイズ、及びそのコピー可能枚数を識別可能とする。
【００５７】
これ以後は、ユーザーによるキー操作待ちの状態となり、ここでユーザーによるキー操作に応じて以下の処理を実行する。まず、左右キー（方向キー１０）が操作されたときには（ステップＳＡ９でＹＥＳ）、上記コピー操作画面２０２における表示画像、つまりコピー対象の画像を他の画像に切り換え（ステップＳＡ１０）、その画像サイズを取得した後（ステップＳＡ１１）、この取得した画像サイズが切換え前の表示画像の画像サイズと異なる場合にはハイライト表示する部分を現在表示中の画像のサイズの表示部分に変更することによって前記コピー可能枚数情報１０３の表示（コピー操作画面２０２）の更新を行い、取得した画像サイズが切換え前の表示画像の画像サイズと同じ場合には前記コピー可能枚数情報１０３の表示（コピー操作画面２０２）の更新は行わない（ステップＳＡ６〜ＳＡ８）。
【００５８】
また、上下キー（方向キー１０）が操作されたときには（ステップＳＡ１２でＹＥＳ）、操作選択メニュー１０４のカーソルを移動して「コピー」又は「キャンセル」の選択状態を切り換える（ステップＳＡ１３）。そして、実行（ＳＥＴ）キー１１が操作されたとき、「コピー」が選択されており（ステップＳＡ１４，ＳＡ１５が共にＹＥＳ）、かつコピーが可能であれば、つまりコピー可能枚数が１枚以上であれば（ステップＳＡ１６でＹＥＳ）、コピー処理を実行する（ステップＳＡ１７）。しかる後、ステップＳＡ５へ戻り、コピー先の残り容量を取得してコピー可能枚数を再計算した後、前記コピー可能枚数情報１０３を更新し、図５（ａ）に示したような、新たなコピー操作画面２０２を表示する（ステップＳＡ６〜ＳＡ８）。また、ステップＳＡ１６の判別結果がＮＯであって、コピーが可能でない、つまりコピー可能枚数が０枚であった場合には、その旨を知らせるエラーメッセージ（図示せず）を画面表示した後（ステップＳＡ１８）、ステップＳＡ６へ戻る。
【００５９】
また、前記操作選択メニュー１０４の「キャンセル」が選択された状態で実行（ＳＥＴ）キー１１が操作されたときには（ステップＳＡ１４でＹＥＳ、ステップＳＡ１５でＮＯ）、その時点でコピーモードを抜けてステップＳＡ１へ戻る。さらに、図４（ｂ）又は図５（ａ）に示したようなコピー操作画面２０２の表示中に、前記ＤＳＰキー１２（本発明の操作手段）が押されたら（ステップＳＡ１９でＹＥＳ）、枚数表示フラグを変更した後（ステップＳＡ２０）、ステップＳＡ６へ戻る。これによりコピー可能枚数情報１０３の表示を中止し、表示画面上に操作選択メニュー１０４のみを表示した、図５（ｂ）に示したようなコピー操作画面２０２を表示する。以後、ＤＳＰキー１２が押される毎に（ステップＳＡ１９でＹＥＳ）、前記コピー可能枚数情報１０３の表示、非表示を切り換える。
【００６０】
以上のように本実施の形態のデジタルカメラ１においては、コピーモードによる動作に際しては、現在選択中の画像の画像サイズに応じたコピー可能枚数情報１０３がコピー操作画面２０２に表示されることから、そのコピー可能枚数情報１０３からユーザーは、実際にコピーの開始を指示する以前の段階で、選択中の画像がコピー可能か否かを知ることができる。そのため、ユーザーは、コピーできない画像サイズの画像を選択した状態でコピーの開始を指示するといった無駄なコピー作業を行わずに済む。
【００６１】
また、コピー可能枚数情報１０３によって、選択した画像のコピーを実行する前及びコピーを実行した後には、それと同様の画像サイズや異なる画像サイズの画像をコピー先にどの程度コピーできるのか知ることができる。そのため、例えばメモリカード３０に複数枚の画像をコピーするとき、全ての画像のコピーが完了する前に残り容量が不足してしまい必要とする枚数の画像がコピーできず、それ以前のコピー作業が無駄になってしまうという事態が生じることもない。つまり無駄なコピー作業を行わずに済む。
【００６２】
また、本実施の形態では、記録可能な静止画像の全ての画像サイズ（６種類）について、コピー可能か否かを一度に知ることができるため使い勝手もよい。特に前述したようにメモリカード３０等の同一の記録媒体に複数枚の画像をコピーするときには便利である。しかもコピー操作画面２０２の表示に際しては、コピー可能枚数情報１０３における表示中の画像のサイズについての表示部分をハイライト表示により差別化するため、現在選択中の画像の画像サイズ、及びその画像サイズに対応するコピー可能枚数の確認も容易である。
【００６３】
また、コピー操作画面２０２の表示中には、必要に応じてコピー可能枚数情報１０３の表示を中止したり再開したりすることができるため、例えば選択中の画像の内容を確認するときコピー可能枚数情報１０３の表示が邪魔になる場合には、図５（ｂ）に示したように、それを消すことにより、選択中の画像の視認性を確保することができ便利である。
【００６４】
なお、本実施の形態においては、コピーモードで表示するコピー操作画面２０２に画像サイズ毎のコピー可能枚数情報１０３を表示させるようにしたが、これに限らず、例えば現在の表示画像、つまりコピー対象となっている静止画像の画像サイズに応じたコピー可能枚数のみを表示させるようにしてもよい。図６（ａ）は、その場合に表示する他のコピー操作画面２１１の例を示した図あって、図示したようにコピー可能枚数を操作選択メニュー１０４内に表示させる場合の例である。さらに、同図（ｂ）に示すように、コピー可能枚数が０枚であるときには、上記コピー操作画面２１１に、コピーができない旨を知らせるエラーメッセージ１０５をコピー可能枚数と共に表示させてもよい。
【００６５】
また、本実施の形態では、コピーモードが選択された当初に、図４（ａ）に示したコピー機能選択画面２０１によってコピー元の記録媒体とコピー先の記録媒体とを予めユーザーに選択させ、その後のコピー操作画面２０２においては、コピー先の記録媒体における画像サイズ毎のコピー可能枚数情報１０３を表示させるものについて説明したが、以下のようにしてもよい。例えば事前にコピー先の記録媒体を選択させることなく、コピー対象の静止画像が表示（選択）されている状態で、その画像サイズと全ての記録媒体（１つの場合でもよい。）の空き容量とに基づいて記録媒体毎のコピー可能枚数を計算する。そして、記録媒体毎のコピー可能枚数を表示させ、その時点でコピー先の記録媒体をユーザーに選択させるようにしてもよい。図７は、その場合にコピーモードで表示させる他のコピー機能選択画面２２１の例を示した図であって、この例は、本実施の形態は異なり複数種のメモリカードを同時に使用可能な構成を有している場合において、コピー先の記録媒体を選択させるための操作選択メニュー１０１内に記録媒体毎のコピー可能枚数を表示させるときの例である。なお、図４（ｂ）に示したような画像サイズ毎のコピー可能枚数情報１０３を記録媒体別に表示させるようにしてもよい。
【００６６】
また、コピーモード中に前述したように左右キー（方向キー１０）の操作に応じてコピー対象の静止画像を切り換えて表示するとき、コピー可能なサイズの画像のみを選択的に表示させるようにしてもよい。
【００６７】
また、コピー操作画面２０２にコピー可能枚数を表示するようにしたが、表示中の画像のコピーが可能か否かのみを表示する（可能である場合は何も表示せず、可能でない場合のみそれを示すメッセージ表示するものも含む）ようにしてもよい。また、表示中の画像のコピーが可能か否かは、メッセージ等の表示以外にも音（音声や、アラーム音）によって行う（報知する）ようにしてもよい。
【００６８】
また、ユーザがコピーの開始を指示する前にコピー可能枚数を表示するようにしたが、ユーザがコピーの開始を指示した後にコピー可能枚数を表示するようにしてもよい。すなわち、ユーザーがコピーの開始を指示する前はコピー可能枚数の表示を行わず、コピーの開始を指示した後の一定時間だけコピー可能枚数を表示してもよい。
【００６９】
（実施形態２）
次に、本発明の第２の実施の形態を説明する。本実施の形態は、図１及び図２に示した構成のデジタルカメラ１において、前記内蔵フラッシュメモリ２８のプログラム領域に、ＣＰＵ２１を第１の実施の形態で述べた本発明の各手段に加え、リサイズ手段としても機能させるためのプログラムが記憶されたものであり、再生モードの下位モードとして用意されているリサイズモードがユーザーにより設定されたときＣＰＵ２１が後述する処理を実施するものである。
【００７０】
なお、本実施の形態のリサイズモードは内蔵フラッシュメモリ２８の画像記録領域、又はメモリカード３０に記録されている静止画像をリサイズしてコピーするモードである。また、ここではリサイズ機能がサイズダウンのみであり、リサイズ可能な最小サイズはＶＧＡサイズであるとともに、以下の説明においてはメモリカード３０に記録されている静止画像を同メモリカード３０にコピーするものとする。
【００７１】
図８は、ユーザーにより再生モードが設定された後、さらにその下位モードとして用意されているリサイズモードが選択されたときのＣＰＵ２１の処理手順を示すフローチャートである。すなわちＣＰＵ２１は、再生モードが設定されると、直ちに通常の再生動作によって前記メモリカード３０に最後に記録された記録画像（本実施の形態では静止画像）を表示する（ステップＳＢ１）。係る処理では、ユーザーにより左右キー（方向キー１０）が押される毎に表示画像を順次切り換え、ユーザーに所望の画像、つまりリサイズ元の画像（元画像）を選択させる。
【００７２】
引き続き、ユーザーにより図示しないメニュー画面からリサイズモードが選択されると（ステップＳＢ２）、直ちに表示中の画像のサイズを、その画像データのヘッダ情報から取得する（ステップＳＢ３）。ここで、表示中の画像のサイズが、それ以上はリサイズできないＶＧＡサイズであれば（ステップＳＢ４でＮＯ）、図９に示した「リサイズできないサイズの画像です」等のエラーメッセージ３００を表示中の画像に上に表示し（ステップＳＢ５）、その時点でリサイズモードを抜けてステップＳＢ１へ戻る。
【００７３】
また、表示中の画像がリサイズ可能なサイズであれば（ステップＳＢ４でＹＥＳ）、コピー先であるメモリカード３０の残り容量を取得するとともに、表示中の画像に関するリサイズ可能な全ての画像サイズについて、コピー先へのコピー可能な枚数を個別に計算する（ステップＳＢ６）。その後、図１０（ａ）に示したように、複数のリサイズ画像サイズ（リサイズ可能な画像サイズ）と「キャンセル」とを選択肢とするとともに、リサイズ画像サイズ毎のコピー可能枚数を示す操作選択メニュー３０１を含むリサイズ操作画面３０２を表示する（ステップＳＢ７）。なお、図１０（ａ）は、リサイズ対象の表示画像のサイズが３Ｍサイズである場合の例である。
【００７４】
これ以後は、ユーザーによるキー操作待ちの状態となり、ここでユーザーによるキー操作に応じて以下の処理を実行する。まず、左右キー（方向キー１０）が操作されたときには（ステップＳＢ８でＹＥＳ）、上記リサイズ操作画面３０２における表示画像、つまりリサイズ対象画像を他の画像に切り換えた後（ステップＳＢ９）、ステップＳＢ３へ戻る。ここで、新たに画像サイズを取得した後、それがリサイズ可能なサイズであれば、この取得した画像サイズが切換え前の表示画像の画像サイズよりも大きい場合には、新たに増加したリサイズ画像サイズについてコピー可能な枚数を計算して前記操作選択メニュー３０１に追加することによりリサイズ操作画面３０２を更新表示する（ステップＳＢ４でＹＥＳ、ＳＢ６，ＳＢ７）。ここで、ステップＳＢ３で取得した画像サイズが切換え前の表示画像の画像サイズよりも小さがリサイズ可能なサイズである場合には、ステップＳＢ６の処理を実行することなく、減少したリサイズ画像サイズのメニューを前記操作選択メニュー３０１から削除することによりリサイズ操作画面３０２を更新表示し、ステップＳＢ３で取得した画像サイズが切換え前の表示画像の画像サイズと同じである場合には、ステップＳＢ６の処理は実行されず、また、前記操作選択メニュー３０１、つまりリサイズ操作画面３０２は更新されないことになる。
【００７５】
また、上下キー（方向キー１０）が操作されたときには（ステップＳＢ１０でＹＥＳ）、前記操作選択メニュー３０１のカーソルを移動（ハイライト表示箇所を移動）して、複数（単一）のリサイズ画像サイズ又は「キャンセル」の選択状態を切り換える（ステップＳＢ１１）。そして、実行（ＳＥＴ）キー１１が操作されたとき、いずれかのリサイズ画像サイズが選択されており（ステップＳＢ１２，ＳＢ１３が共にＹＥＳ）、かつそのサイズへのリサイズが可能であれば、つまり選択中のリサイズ画像サイズでのリサイズ可能枚数が１枚以上であれば（ステップＳＢ１４でＹＥＳ）、リサイズ処理（縮小及びコピー）を実行する（ステップＳＢ１５）。しかる後、ステップＳＢ６へ戻り、新たに残り容量を取得してリサイズ画像サイズ毎のリサイズ可能枚数を再計算した後、操作選択メニュー３０１におけるリサイズ画像サイズ毎のコピー可能枚数を更新して、図１０（ｂ）に示したような、新たなリサイズ操作画面３０２を表示する（ステップＳＢ７）。
【００７６】
また、ステップＳＢ１４の判別結果がＮＯであって、リサイズが可能でない、つまり選択中のリサイズ画像サイズでのリサイズ可能枚数が０枚であった場合には、図１１（ａ）に示したように、リサイズ操作画面３０２に、その旨を知らせるエラーメッセージ３０３を表示した後（ステップＳＢ１６）、その時点でリサイズモードを抜けてステップＳＢ１へ戻る。なお、ステップＳＢ６によるリサイズ可能枚数の計算の結果、リサイズ画像サイズの全てについてリサイズ可能枚数が０枚である場合は、ステップＳＢ７で図１１（ｂ）に示したように、リサイズ操作画面３０２に、リサイズ機能を使用することが不可能である旨を知らせる警告メッセージ３０４を表示する。また、前記リサイズ操作画面３０２で「キャンセル」が選択された状態で実行（ＳＥＴ）キー１１が操作された場合にも（ステップＳＢ１２でＹＥＳ、ステップＳＢ１３でＮＯ）、その時点でリサイズモードを抜けてステップＳＢ１へ戻る。
【００７７】
以上のように本実施の形態のデジタルカメラにおいては、リサイズモードによる動作に際しては、リサイズ画像サイズ毎のコピー可能枚数（操作選択メニュー３０１）がリサイズ操作画面３０２に表示されることから、表示されているコピー可能枚数によってユーザーは、実際にリサイズコピーの開始を指示する以前の段階で、現在選択中の所望するリサイズ画像サイズでコピー可能か否かを知ることができる。そのため、ユーザーは、コピーできないリサイズ画像サイズを選択した状態でリサイズコピーの開始を指示するといった無駄なコピー作業を行わずに済む。
【００７８】
また、本実施の形態では、現在選択中に画像における選択可能な複数のリサイズ画像サイズの全てについて、コピー可能か否かを一度に知ることができるため使い勝手もよい。
【００７９】
なお、本実施の形態においては、前記リサイズ操作画面３０２に表示する操作選択メニュー３０１内に、リサイズ画像サイズ毎のコピー可能枚数を常に表示させるようにしたが、これに限らず第１の実施の形態と同様に、ＤＳＰキー１２の操作がある毎に操作選択メニュー３０１におけるコピー可能枚数の表示、非表示を切り換えるようにしてもよい。
【００８０】
また、本実施の形態では、ステップＳＢ２でリサイズモードが選択された時に現在表示中の画像に関するリサイズ可能な全ての画像サイズについてコピー先へのコピー可能な枚数を個別に計算したり、図８のステップＳＢ９でリサイズ対象画像を他の画像に切り換える毎に必要に応じてリサイズ可能枚数を計算するようにしたが、ステップＳＢ２でリサイズモードが選択された時に全てのリサイズ画像サイズについてコピー先へのコピー可能な枚数を個別に計算するようにし、以後、リサイズコピーが実行されるまで現在コピー対象画像として選択されている画像のサイズに応じて適宜表示すべきリサイズ画像サイズのリサイズコピー可能枚数を選択して表示させるようにしてもよい。
【００８１】
また、本実施の形態では、同一の記録媒体に対してリサイズコピーを実行する場合について説明したが、異なる記録媒体に対してリサイズコピーを実行する場合にも本発明を適用することができる。
【００８２】
また、本実施の形態では、リサイズ操作画面３０２にリサイズ可能枚数を表示するようにしたが、リサイズ、つまりリサイズ後の画像のコピー（記録）が可能か否かのみを表示する（可能である場合は何も表示せず、可能でない場合のみそれを示すメッセージ表示するものも含む）ようにしてもよい。また、表示中の画像のコピーが可能か否かは、メッセージ等の表示以外にも音（音声や、アラーム音）によって行う（報知する）ようにしてもよい。
【００８３】
また、ユーザがリサイズの開始を指示する前にリサイズ可能枚数を表示するようにしたが、ユーザがリサイズの開始を指示した後にリサイズ可能枚数を表示するようにしてもよい。すなわち、ユーザーがリサイズの開始を指示する前はリサイズ可能枚数の表示を行わず、リサイズの開始を指示した後の一定時間だけリサイズ可能枚数を表示してもよい。
【００８４】
（実施形態３）
次に、本発明の第３の実施の形態を説明する。本実施の形態は、図１及び図２に示した構成のデジタルカメラ１において、前記内蔵フラッシュメモリ２８のプログラム領域に、ＣＰＵ２１を第１の実施の形態で述べた本発明の各手段に加え、トリミング手段としても機能させるためのプログラムが記憶されたものであり、再生モードの下位モードとして用意されているトリミングモードがユーザーにより設定されたときＣＰＵ２１が後述する処理を実施するものである。
【００８５】
なお、トリミングモードは内蔵フラッシュメモリ２８の画像記録領域、又はメモリカード３０に記録されている静止画像の一部を切り出し、切り出した部分の画像をコピーするモードである。また、本実施の形態においては、トリミングサイズ（切り出し領域サイズ）が、記録可能な静止画像のサイズ（前述した６種類）に限られており、トリミングを行うことができる静止画像がＶＧＡサイズを除くサイズの画像であるとともに、以下の説明においてはメモリカード３０に記録されている静止画像を同メモリカード３０にコピーするものとする。
【００８６】
図１２は、ユーザーにより再生モードが設定された後、さらにその下位モードとして用意されているトリミングモードが選択されたときのＣＰＵ２１の処理手順を示すフローチャートである。すなわちＣＰＵ２１は、再生モードが設定されると、直ちに通常の再生動作によって前記メモリカード３０に最後に記録された記録画像（静止画像）を表示する（ステップＳＣ１）。係る処理では、ユーザーにより左右キー（方向キー１０）が押される毎に表示画像を順次切り換え、ユーザーに所望の画像、つまりトリミング元の画像を選択させる。
【００８７】
引き続き、ユーザーにより図示しないメニュー画面からトリミングモードが選択されると（ステップＳＣ２）、直ちに表示中の画像のサイズを、その画像データのヘッダ情報から取得する（ステップＳＣ３）。ここで、表示中の画像のサイズが、トリミングできないＶＧＡサイズであれば（ステップＳＣ４でＮＯ）、その旨を示すエラーメッセージを表示中の画像上に表示し（ステップＳＣ５）、その時点でトリミングモードを抜けてステップＳＣ１へ戻る。
【００８８】
また、表示中の画像がトリミング可能なサイズであれば（ステップＳＣ４でＹＥＳ）、規定のトリミング画像サイズ（例えば、元画像よりも１段階下の画像サイズ）を取得し（ステップＳＣ６）、さらにコピー先である前記メモリカード３０の残り容量を取得した後（ステップＳＣ７）、コピー先において、残り容量と上記トリミング画像サイズとに基づき、そのトリミングサイズでコピー可能な枚数（トリミング可能枚数）を計算する（ステップＳＣ８）。その後、図１３（ａ）に示したように、画像表示を上記トリミング画像サイズに対応するトリミング範囲内の部分画像の全画面表示に切換えるとともに、トリミングサイズと「キャンセル」とを選択肢とする操作選択メニュー４０１内にトリミングサイズと共にトリミング可能枚数を表示したトリミング操作画面４０２を表示する（ステップＳＣ９）。なお、図１３（ａ）は、トリミング対象の表示画像のサイズが７Ｍであるとともに、トリミングサイズが５Ｍである場合の例である。また、トリミング操作画面４０２には、元画像におけるトリミング範囲を示すトリミング枠（二重の枠）や、トリミングの実施により拡大される画像の元画像に対する拡大率（同図で「×１．１」）も表示する。
【００８９】
これ以後は、ユーザーによるキー操作待ちの状態となり、ここでユーザーによるキー操作に応じて以下の処理を実行する。まず、前記ズーム操作キー８が操作されたときには（ステップＳＣ１０でＹＥＳ）、操作に応じてトリミング範囲の拡大又は縮小を行い（ステップＳＣ１１）、新たなトリミングサイズを取得した後（ステップＳＣ１２）、トリミング可能な枚数を再計算して、操作選択メニュー４０１内におけるトリミング可能枚数を更新し、図１３（ｂ）に示したような新たなトリミング操作画面４０２を表示するとともに、ステップＳＣ１２で取得した新たなトリミングサイズに対応するトリミング範囲内の部分画像の全画面表示に切換える（ステップＳＣ８，ＳＣ９）。
【００９０】
また、上下キー（方向キー１０）が操作されたときには（ステップＳＣ１３でＹＥＳ）、操作選択メニュー４０１のカーソルを移動してトリミングサイズ、又は「キャンセル」の選択状態を切り換える（ステップＳＣ１４）。そして、実行（ＳＥＴ）キー１１が操作されたとき、トリミングサイズが選択されており（ステップＳＣ１５，ＳＣ１６が共にＹＥＳ）、かつトリミング可能であれば、つまりトリミング可能枚数が１枚以上であれば（ステップＳＣ１７でＹＥＳ）、トリミング処理（切り出し及びコピー）を実行する（ステップＳＣ１８）。しかる後、ステップＳＣ７へ戻り、コピー先の残り容量を取得してトリミング可能枚数を再計算した後、操作選択メニュー４０１内におけるトリミング可能枚数を更新し、図１４に示したような新たなトリミング操作画面４０２を表示する（ステップＳＣ８，ＳＣ９）。なお、同図は、図１３（ａ）に示したトリミング操作画面４０２からトリミングが実施された場合の例を示した図である。
【００９１】
また、ステップＳＣ１７の判別結果がＮＯであって、トリミングが可能でない、つまりトリミング可能枚数が０枚であった場合には、その旨を知らせるエラーメッセージ（図示せず）を画面表示した後（ステップＳＣ１９）、ステップＳＣ９へ戻る。それによりユーザーに新たなトリミング範囲を指定させる。なお、ステップＳＣ８によるトリミング可能枚数の計算の結果、トリミング可能枚数が０枚である場合、ステップＳＣ９でトリミング操作画面４０２に、更に現在のトリミング範囲ではトリミングを行うことが不可能である旨を知らせる警告メッセージを表示するようにしてもよい。さらに、操作選択メニュー４０１の「キャンセル」が選択された状態で実行（ＳＥＴ）キー１１が操作されたときには（ステップＳＣ１５でＹＥＳ、ステップＳＣ１６でＮＯ）、その時点でトリミングモードを抜けてステップＳＣ１へ戻る。
【００９２】
以上のように本実施の形態のデジタルカメラにおいては、トリミングモードによる動作に際しては、トリミングサイズと共にトリミング可能枚数（操作選択メニュー４０１）がトリミング操作画面４０２に表示されることから、表示されているトリミング可能枚数によってユーザーは、実際にトリミングコピーの開始を指示する以前の段階で、現在選択中の所望するトリミングサイズでコピー可能か否かを知ることができる。そのため、ユーザーは、コピーできないトリミングサイズを選択した状態でコピーの開始を指示するといった無駄なコピー作業を行わずに済む。
【００９３】
なお、本実施の形態においては、前述したトリミング操作画面４０２に表示する操作選択メニュー４０１内に、トリミングサイズと共にトリミング可能枚数を常に表示させるようにしたが、これに限らず第１の実施の形態と同様に、ＤＳＰキー１２の操作がある毎に操作選択メニュー４０１におけるトリミング可能枚数の表示、非表示を切り換えるようにしてもよい。
【００９４】
また、ＤＳＰキー１２の操作がある毎に操作選択メニュー４０１の表示、非表示の状態を切り換えるようにしてもよく、さらに、操作選択メニュー４０１が非表示の状態にあるときには、４方向キー１０の操作によりトリミング範囲を上下左右方向に移動できるようにしてもよい。
【００９５】
また、本実施の形態では、トリミングサイズ（切り出し領域サイズ）を記録可能な静止画像のサイズ（前述した６種類）に制限したが、無制限としてもよい。その場合、トリミング可能枚数の計算は、ユーザーによって任意に設定されたトリミングサイズに基づき行うこととなる。
【００９６】
また、本実施の形態とは異なり、表示画像上にトリミング枠を表示させ、このトリミング枠を画像上において、ズーム操作キー８の操作に応じ（多段階又は無段階に）拡大・縮小させたり、４方向キー１０の操作に応じ上下左右方向に移動させたりすることによってトリミング範囲を確定するものとしてもよい。その場合においても、トリミング可能枚数の計算は、ユーザーによって任意に設定されたトリミングサイズに基づき行うこととなる。
【００９７】
また、上記のようにトリミングサイズを無制限（任意）とする場合、トリミング可能枚数をトリミングサイズと共に表示するものとしてもよいし、トリミングサイズを表示することなく、トリミング可能枚数のみを表示するものとしてもよい。
【００９８】
また、本実施の形態では、静止画像の一部を切り出し、切り出した部分の画像をそのままコピーするトリミングモードを有するものについて説明したが。これとは異なるトリミングモードを有しているものにも、本発明は適用できる。例えばトリミングサイズ（切り出し領域サイズ）については無制限（任意）としながら、切り出した部分を、その切り出し領域サイズに応じてた規定の画像サイズ（例えば、最も近い画像サイズや、最も近くかつ小さい側の画像サイズ）に自動的にリサイズしてからコピーするようなトリミングモードを有するものにも本発明はできる。その場合、その場合、トリミング可能枚数の計算は、自動的にリサイズされる規定の画像サイズに基づき行うこととなる。
【００９９】
また、本実施の形態では、同一の記録媒体に対してトリミングコピーを実行する場合について説明したが、異なる記録媒体に対してトリミングコピーを実行する場合にも本発明を適用することができる。
【０１００】
また、トリミング操作画面４０２にトリミング可能枚数を表示するようにしたが、トリミング、つまりトリミング後の画像のコピー（記録）が可能か否かのみを表示する（可能である場合は何も表示せず、可能でない場合のみそれを示すメッセージ表示するものも含む）ようにしてもよい。また、表示中の画像のコピーが可能か否かは、メッセージ等の表示以外にも音（音声や、アラーム音）によって行う（報知する）ようにしてもよい。
【０１０１】
また、ユーザがトリミングの開始を指示する前にトリミング可能枚数を表示するようにしたが、ユーザがトリミングの開始を指示した後にトリミング可能枚数を表示するようにしてもよい。すなわち、ユーザーがトリミングの開始を指示する前はトリミング可能枚数の表示を行わず、トリミングの開始を指示した後の一定時間だけトリミング可能枚数を表示してもよい。
【０１０２】
ここで、以上説明した第１〜第３の実施の形態においては、本発明をデジタルカメラに適用した場合を示したが、これに限らず、本発明は、画像を記憶媒体にコピーするコピー機能を備えたものであれば他の画像処理装置にも適用することができる。
【図面の簡単な説明】
【０１０３】
【図１】本発明の各実施の形態に共通するデジタルカメラの外観斜視図である。
【図２】同デジタルカメラの電気的構成を示すブロック図である。
【図３】第１の実施の形態を示すコピーモードでのＣＰＵの処理内容を示すフローチャートである。
【図４】コピーモードで表示する画面を示す図であって、（ａ）はコピー機能選択画面、（ｂ）はコピー操作画面の例を示す図である。
【図５】（ａ）は図４（ｂ）に対応するコピー実行後のコピー操作画面の例を示す図、（ｂ）はコピー可能枚数情報が非表示状態にあるときコピー操作画面を示す図である。
【図６】他のコピー操作画面の例を示す図である。
【図７】第１の実施の形態の変形例を示す他のコピー機能選択画面の例を示す図である。
【図８】第２の実施の形態を示すリサイズモードでのＣＰＵの処理内容を示すフローチャートである。
【図９】リサイズ対象がリサイズできないとき表示するリサイズ操作画面の例を示す図である。
【図１０】リサイズ実行前後に表示するリサイズ操作画面の例を示す図である。
【図１１】（ａ）は、選択中のリサイズ画像サイズでのリサイズ可能枚数が０枚であったとき、（ｂ）は、リサイズ画像サイズの全てについてリサイズ可能枚数が０枚であったときのリサイズ操作画面の例を示す図である。
【図１２】第３の実施の形態を示すトリミングモードでのＣＰＵの処理内容を示すフローチャートである。
【図１３】トリミング範囲の変更前後に表示するトリミング操作画面の例を示す図である。
【図１４】図１３（ａ）に対応するトリミング実行後のトリミング操作画面の例を示す図である。
【符号の説明】
【０１０４】
１    デジタルカメラ
２１    ＣＰＵ
２２    ＣＣＤ
１３    液晶モニタ
２８    内蔵フラッシュメモリ
２９    カードインターフェース
３０    メモリカード
３１    キー入力部
１０３    コピー可能枚数
２０２    コピー操作画面
３０１    操作選択メニュー
３０２    リサイズ操作画面
４０１    操作選択メニュー
４０２    トリミング操作画面
【図１】
2006287277.tif 000003
【図２】
2006287277.tif 000004
【図３】
2006287277.tif 000005
【図４】
2006287277.tif 000006
【図５】
2006287277.tif 000007
【図６】
2006287277.tif 000008
【図７】
2006287277.tif 000009
【図８】
2006287277.tif 000010
【図９】
2006287277.tif 000011
【図１０】
2006287277.tif 000012
【図１１】
2006287277.tif 000013
【図１２】
2006287277.tif 000014
【図１３】
2006287277.tif 000015
【図１４】
2006287277.tif 000016